(57)【要約】【課題】光ファイバー給電システムにおいて、コネクタ外れを容易に検出する。【解決手段】光ファイバー給電システムの給電光１１２の出力端４０１に配置される光コネクタ４１０であって、接続動作に連動して開き当該接続を可能とするとともに離脱動作に連動して閉じられて給電光の出射を遮るシャッター４１１を有し、閉じられている時の当該シャッターの給電光の受光面４１２が鏡面とされている。又は、閉じられている時の当該シャッターの給電光の受光面が波長変換材により構成されている。【選択図】図５
2020202423.tif 000002
【特許請求の範囲】
【請求項１】
光ファイバー給電システムの給電光の出力端に配置される光コネクタであって、
接続動作に連動して開き当該接続を可能とするとともに離脱動作に連動して閉じられて給電光の出射を遮るシャッターを有し、閉じられている時の当該シャッターの給電光の受光面が鏡面とされた光ファイバー給電システムの光コネクタ。
【請求項２】
光ファイバー給電システムの給電光の出力端に配置された光コネクタであって、
接続動作に連動して開き当該接続を可能とするとともに離脱動作に連動して閉じられて給電光の出射を遮るシャッターを有し、閉じられている時の当該シャッターの給電光の受光面が波長変換材により構成された光ファイバー給電システムの光コネクタ。
【請求項３】
請求項１又は請求項２に記載の光コネクタを給電光の出力端に有し、電力によりレーザー発振して給電光を出力する半導体レーザーを含む給電装置であって、前記半導体レーザーの光‐電気間の変換効果を奏する半導体領域を構成する半導体材料が、レーザー波長５００ｎｍ以下のレーザー媒体とされた光ファイバー給電システムの給電装置。
【請求項４】
前記シャッターから放射される戻り光を検出することによりコネクタ外れを検出し、前記給電光の出力を停止する制御装置を備える請求項３に記載の光ファイバー給電システムの給電装置。
【請求項５】
請求項３に記載の給電装置と、当該給電装置による給電光を電力に変換する光電変換素子を含む受電装置と、一端が前記給電装置に接続可能とされ他端が前記受電装置に接続可能とされ前記給電光を伝送する光ファイバーケーブルとを備え、
請求項１又は請求項２に記載の光コネクタを前記光ファイバーケーブルの前記他端に有する光ファイバー給電システム。
【請求項６】
前記シャッターから放射される戻り光を検出することによりコネクタ外れを検出し、前記給電光の出力を停止する制御装置を備える請求項５に記載の光ファイバー給電システム。
【請求項７】
請求項１又は請求項２に記載の光コネクタを給電光の出力端に有し、
前記シャッターから放射される戻り光を検出することによりコネクタ外れを検出し、前記給電光の出力を停止する制御装置を備える光ファイバー給電システム。
【発明の詳細な説明】
【技術分野】
【０００１】
本開示は、光給電に関する。
【背景技術】
【０００２】
近時、電力を光（給電光と呼ばれる）に変換して伝送し、当該給電光を電気エネルギーに変換して電力として利用する光給電システムが研究されている。
特許文献１には、電気信号で変調された信号光、及び電力を供給するための給電光を発信する光発信機と、上記信号光を伝送するコア、上記コアの周囲に形成され上記コアより屈折率が小さく上記給電光を伝送する第１クラッド、及び上記第１クラッドの周囲に形成され上記第１クラッドより屈折率が小さい第２クラッド、を有する光ファイバーと、上記光ファイバーの第１クラッドで伝送された上記給電光を変換した電力で動作し、上記光ファイバーのコアで伝送された上記信号光を上記電気信号に変換する光受信機と、を備えた光通信装置が記載されている。
【先行技術文献】
【特許文献】
【０００３】
【特許文献１】特開２０１０−１３５９８９号公報
【発明の概要】
【発明が解決しようとする課題】
【０００４】
光給電においては、より高エネルギーの光伝送が行われるようになることが見込まれる。
光ファイバー給電システムの敷設時および運用中に、不慮の事故でコネクタが外れてしまったままとなっている場合、給電光のエネルギーによる事故に繋がる危険性がある。よってコネクタが外れている場合には早期に発見する必要がある。
【課題を解決するための手段】
【０００５】
本開示の１つの態様の光ファイバー給電システムの光コネクタは、光ファイバー給電システムの給電光の出力端に配置される光コネクタであって、接続動作に連動して開き当該接続を可能とするとともに離脱動作に連動して閉じられて給電光の出射を遮るシャッターを有し、閉じられている時の当該シャッターの給電光の受光面が鏡面とされている。
また、１つの態様の光ファイバー給電システムの光コネクタは、光ファイバー給電システムの給電光の出力端に配置された光コネクタであって、接続動作に連動して開き当該接続を可能とするとともに離脱動作に連動して閉じられて給電光の出射を遮るシャッターを有し、閉じられている時の当該シャッターの給電光の受光面が波長変換材により構成されている。
【発明の効果】
【０００６】
本開示の１つの態様の光ファイバー給電システムの光コネクタによれば、コネクタ外れを容易に検出することができる。
【図面の簡単な説明】
【０００７】
【図１】本開示の第１実施形態に係る光ファイバー給電システムの構成図である。
【図２】本開示の第２実施形態に係る光ファイバー給電システムの構成図である。
【図３】本開示の第２実施形態に係る光ファイバー給電システムの構成図であって、光コネクタ等を図示したものある。
【図４】本開示の他の一実施形態に係る光ファイバー給電システムの構成図である。
【図５】シャッターを備えた光コネクタと、相手方コネクタを示す模式図である。
【図６】本開示の第２実施形態に係る光ファイバー給電システムの構成図であって、制御装置を加えて図示したものある。
【発明を実施するための形態】
【０００８】
以下に本開示の一実施形態につき図面を参照して説明する。
【０００９】
（１）システム概要
〔第１実施形態〕
図１に示すように本実施形態の光ファイバー給電(PoF:Power over Fiber）システム１Ａは、給電装置（PSE:Power Sourcing Equipment）１１０と、光ファイバーケーブル２００Ａと、受電装置（PD:Powered Device）３１０を備える。
なお、本開示における給電装置は電力を光エネルギーに変換して供給する装置であり、受電装置は光エネルギーの供給を受け当該光エネルギーを電力に変換する装置である。
給電装置１１０は、給電用半導体レーザー１１１を含む。
光ファイバーケーブル２００Ａは、給電光の伝送路を形成する光ファイバー２５０Ａを含む。
受電装置３１０は、光電変換素子３１１を含む。
【００１０】
給電装置１１０は電源に接続され、給電用半導体レーザー１１１等が電気駆動される。
給電用半導体レーザー１１１は、上記電源からの電力によりレーザー発振して給電光１１２を出力する。
【００１１】
光ファイバーケーブル２００Ａは、一端２０１Ａが給電装置１１０に接続可能とされ、他端２０２Ａが受電装置３１０に接続可能とされ、給電光１１２を伝送する。
給電装置１１０からの給電光１１２が、光ファイバーケーブル２００Ａの一端２０１Ａに入力され、給電光１１２は光ファイバー２５０Ａ中を伝搬し、他端２０２Ａから受電装置３１０に出力される。
【００１２】
光電変換素子３１１は、光ファイバーケーブル２００Ａを通して伝送されてきた給電光１１２を電力に変換する。光電変換素子３１１により変換された電力が、受電装置３１０内で必要な駆動電力とされる。さらに受電装置３１０は光電変換素子３１１により変換された電力を外部機器用に出力可能とされる。
【００１３】
給電用半導体レーザー１１１及び光電変換素子３１１の光‐電気間の変換効果を奏する半導体領域を構成する半導体材料が５００ｎｍ以下の短波長のレーザー波長をもった半導体とされる。
短波長のレーザー波長をもった半導体は、バンドギャップが大きく光電変換効率が高いので、光給電の発電側及び受電側における光電変換効率が向上され、光給電効率が向上する。
そのためには、同半導体材料として、例えば、ダイヤモンド、酸化ガリウム、窒化アルミニウム、ＧａＮ等、レーザー波長（基本波）が２００〜５００ｎｍのレーザー媒体の半導体材料を用いてもよい。
また、同半導体材料として、２．４ｅＶ以上のバンドギャップを有した半導体が適用される。
例えば、ダイヤモンド、酸化ガリウム、窒化アルミニウム、ＧａＮ等、バンドギャップ２．４〜６．２ｅＶのレーザー媒体の半導体材料を用いてもよい。
なお、レーザー光は長波長ほど伝送効率が良く、短波長ほど光電変換効率が良い傾向にある。したがって、長距離伝送の場合には、レーザー波長（基本波）が５００ｎｍより大きいレーザー媒体の半導体材料を用いてもよい。また、光電変換効率を優先する場合には、レーザー波長（基本波）が２００ｎｍより小さいレーザー媒体の半導体材料を用いてもよい。
これらの半導体材料は、給電用半導体レーザー１１１及び光電変換素子３１１のいずれか一方に適用してもよい。給電側又は受電側における光電変換効率が向上され、光給電効率が向上する。
【００１４】
〔第２実施形態〕
図２に示すように本実施形態の光ファイバー給電(PoF:Power over Fiber）システム１は、光ファイバーを介した給電システムと光通信システムとを含むものであり、給電装置（PSE:Power Sourcing Equipment）１１０を含む第１のデータ通信装置１００と、光ファイバーケーブル２００と、受電装置（PD:Powered Device）３１０を含む第２のデータ通信装置３００とを備える。
給電装置１１０は、給電用半導体レーザー１１１を含む。第１のデータ通信装置１００は、給電装置１１０のほか、データ通信を行う発信部１２０と、受信部１３０とを含む。第１のデータ通信装置１００は、データ端末装置(DTEP(Date Terminal Equipment))、中継器(Repeater)等に相当する。発信部１２０は、信号用半導体レーザー１２１と、モジュレーター１２２とを含む。受信部１３０は、信号用フォトダイオード１３１を含む。
【００１５】
光ファイバーケーブル２００は、信号光の伝送路を形成するコア２１０と、コア２１０の外周に配置され、給電光の伝送路を形成するクラッド２２０と有する光ファイバー２５０を含む。
【００１６】
受電装置３１０は、光電変換素子３１１を含む。第２のデータ通信装置３００は、受電装置３１０のほか、発信部３２０と、受信部３３０と、データ処理ユニット３４０とを含む。第２のデータ通信装置３００は、パワーエンドステーション(Power End Station)等に相当する。発信部３２０は、信号用半導体レーザー３２１と、モジュレーター３２２とを含む。受信部３３０は、信号用フォトダイオード３３１を含む。データ処理ユニット３４０は、受信した信号を処理するユニットである。また、第２のデータ通信装置３００は、通信ネットワークにおけるノードである。または第２のデータ通信装置３００は、他のノードと通信するノードでもよい。
【００１７】
第１のデータ通信装置１００は電源に接続され、給電用半導体レーザー１１１、信号用半導体レーザー１２１と、モジュレーター１２２、信号用フォトダイオード１３１等が電気駆動される。また、第１のデータ通信装置１００は、通信ネットワークにおけるノードである。または第１のデータ通信装置１００は、他のノードと通信するノードでもよい。
給電用半導体レーザー１１１は、上記電源からの電力によりレーザー発振して給電光１１２を出力する。
【００１８】
光電変換素子３１１は、光ファイバーケーブル２００を通して伝送されてきた給電光１１２を電力に変換する。光電変換素子３１１により変換された電力は、発信部３２０、受信部３３０及びデータ処理ユニット３４０の駆動電力、その他の第２のデータ通信装置３００内で必要となる駆動電力とされる。さらに第２のデータ通信装置３００は、光電変換素子３１１により変換された電力を外部機器用に出力可能とされていてもよい。
【００１９】
一方、発信部１２０のモジュレーター１２２は、信号用半導体レーザー１２１からのレーザー光１２３を送信データ１２４に基づき変調して信号光１２５として出力する。
受信部３３０の信号用フォトダイオード３３１は、光ファイバーケーブル２００を通して伝送されてきた信号光１２５を電気信号に復調し、データ処理ユニット３４０に出力する。データ処理ユニット３４０は、当該電気信号によるデータをノードに送信し、その一方で当該ノードからデータを受信し、送信データ３２４としてモジュレーター３２２に出力する。
発信部３２０のモジュレーター３２２は、信号用半導体レーザー３２１からのレーザー光３２３を送信データ３２４に基づき変調して信号光３２５として出力する。
受信部１３０の信号用フォトダイオード１３１は、光ファイバーケーブル２００を通して伝送されてきた信号光３２５を電気信号に復調し出力する。当該電気信号によるデータがノードに送信され、その一方で当該ノードからデータが送信データ１２４とされる。
【００２０】
第１のデータ通信装置１００からの給電光１１２及び信号光１２５が、光ファイバーケーブル２００の一端２０１に入力され、給電光１１２はクラッド２２０を伝搬し、信号光１２５はコア２１０を伝搬し、他端２０２から第２のデータ通信装置３００に出力される。
第２のデータ通信装置３００からの信号光３２５が、光ファイバーケーブル２００の他端２０２に入力され、コア２１０を伝搬し、一端２０１から第１のデータ通信装置１００に出力される。
【００２１】
なお、図３に示すように第１のデータ通信装置１００に光入出力部１４０とこれに付設された光コネクタ１４１が設けられる。また、第２のデータ通信装置３００に光入出力部３５０とこれに付設された光コネクタ３５１が設けられる。光ファイバーケーブル２００の一端２０１に設けられた光コネクタ２３０が光コネクタ１４１に接続する。光ファイバーケーブル２００の他端２０２に設けられた光コネクタ２４０が光コネクタ３５１に接続する。光入出力部１４０は、給電光１１２をクラッド２２０に導光し、信号光１２５をコア２１０に導光し、信号光３２５を受信部１３０に導光する。光入出力部３５０は、給電光１１２を受電装置３１０に導光し、信号光１２５を受信部３３０に導光し、信号光３２５をコア２１０に導光する。
以上のように、光ファイバーケーブル２００は、一端２０１が第１のデータ通信装置１００に接続可能とされ、他端２０２が第２のデータ通信装置３００に接続可能とされ、給電光１１２を伝送する。さらに本実施形態では、光ファイバーケーブル２００は、信号光１２５，３２５を双方向伝送する。
【００２２】
給電用半導体レーザー１１１及び光電変換素子３１１の光‐電気間の変換効果を奏する半導体領域を構成する半導体材料としては上記第１実施形態と同様のものが適用され、高い光給電効率が実現される。
【００２３】
なお、図４に示す光ファイバー給電システム１Ｂの光ファイバーケーブル２００Ｂように、信号光を伝送する光ファイバー２６０と、給電光を伝送する光ファイバー２７０とを別々に設けてもよい。光ファイバーケーブル２００Ｂも複数本で構成してもよい。
【００２４】
（２）シャッターを備えた光コネクタについて
次に、シャッターを備えた光コネクタにつき図５を参照して説明する。
図５に示すように光コネクタ４１０は、以上の光ファイバー給電システム１又は１Ａ，１Ｂの給電光１１２の出力端４０１に配置される。
光コネクタ４２０は、光コネクタ４１０と接続する相手方コネクタである。
図３に示した光コネクタ１４１や光コネクタ３５１として光コネクタ４１０が適用され、図３に示した光コネクタ２３０や光コネクタ２４０として光コネクタ４２０が適用される。
【００２５】
光コネクタ４１０はシャッター４１１を有する。
シャッター４１１は、光コネクタ４１０と光コネクタ４２０との接続動作に連動して開き当該接続を可能とする。
それとともにシャッター４１１は、光コネクタ４１０と光コネクタ４２０との離脱動作に連動して閉じられて給電光１１２の外部への出射を遮る。シャッター４１１を閉じる機構は、シャッター４１１を閉じる側に付勢する弾性部材を有したヒンジ機構等により構成される。
【００２６】
一つの形態としては図５に示すように閉じられている時のシャッター４１１の給電光１１２の受光面４１２が鏡面とされている形態を実施する。すなわち、シャッター４１１の内面である受光面４１２が鏡面とされている。受光面４１２を構成する部材４１３が反射鏡であり、その鏡面により受光面４１２が構成される。
したがって、シャッター４１１が閉じられているとき、給電光１１２は反射鏡（４１３）の鏡面（４１２）に反射して戻り光４０２となりその一部は出力端４０１に入射する。
一方、図６に示す制御装置１５０は、シャッター４１１から放射される戻り光４０２を検出することによりコネクタ外れを検出し、給電装置１１０による給電光１１２の出力を停止する制御を実行する。
戻り光４０２は、給電光の伝搬路又は信号光の伝搬路を通って戻ってくるから、これをフォトダイオードで受信し制御装置１５０により分析して、コネクタ外れを検出することができる。当該フォトダイオードとしては、信号用フォトダイオード１３１を利用してもよいし、特別に設けてもよい。
【００２７】
又は以上の反射鏡に代え蛍光材等の波長変換材を適用する。すなわち、図５に示すように閉じられている時のシャッター４１１の給電光１１２の受光面４１２が波長変換材により構成されている形態を実施する。すなわち、シャッター４１１の内面である受光面４１２を構成する部材４１３が波長変換材である。
したがって、シャッター４１１が閉じられているとき、給電光１１２は波長変換材（４１３）に照射され、波長変換材（４１３）から給電光１１２とは異なる波長の光を含む戻り光４０２が放射され、その一部は出力端４０１に入射する。
一方、図６に示す制御装置１５０は、シャッター４１１から放射される戻り光４０２に含まれる上記異なる波長の成分を検出することによりコネクタ外れを検出し、給電装置１１０による給電光１１２の出力を停止する制御を実行する。
戻り光４０２に、給電光１１２でも信号光でもない波長の光が含まれるように、波長変換材を選択することで、戻り光４０２の識別性を良好にすることができる。
波長変換材としては、受けた光を異なる波長に全変換する性質のものでも、受けた光の波長と受けた光とは異なる波長とに亘ってスペクトラム拡散する性質のものでもよい。
【００２８】
以上のようにシャッター４１１により、コネクタ外れ時の給電光１１２の漏洩を防止することができる。
また、シャッター４１１から放射される戻り光４０２によりシャッター外れを検出することが容易である。
シャッター４１１の給電光１１２の受光面４１２が鏡面とされる場合には、戻り光４０２の光強度を確保することができ、戻り経路が長距離となる場合にも検出可能にする。
シャッター４１１の給電光１１２の受光面４１２が波長変換材により構成される場合には、内部由来の迷光などの他の光との識別性が良好であり、コネクタ外れの検出精度を確保できる。
また、制御装置１５０が給電光１１２の出力を停止するので、シャッター４１１への長時間の給電光１１２の照射による発熱や破壊を避けて未然に事故を防止できるとともに、無駄な電力消費を停止することができる。
【００２９】
以上本開示の実施形態を説明したが、この実施形態は、例として示したものであり、この他の様々な形態で実施が可能であり、発明の要旨を逸脱しない範囲で、構成要素の省略、置き換え、変更を行うことができる。
【符号の説明】
【００３０】
１Ａ   光ファイバー給電システム（光給電システム）
１     光ファイバー給電システム（光給電システム）
１Ｂ   光ファイバー給電システム（光給電システム）
１００  第１のデータ通信装置
１１０ 給電装置
１１１ 給電用半導体レーザー
１１２ 給電光
１２０ 発信部
１２５ 信号光
１３０ 受信部
１４０ 光入出力部
１４１ 光コネクタ
２００Ａ  光ファイバーケーブル
２００ 光ファイバーケーブル
２００Ｂ      光ファイバーケーブル
２１０ コア
２２０ クラッド
２５０Ａ  光ファイバー
２５０ 光ファイバー
２６０ 光ファイバー
２７０ 光ファイバー
３００  第２のデータ通信装置
３１０ 受電装置
３１１ 光電変換素子
３２０ 発信部
３２５ 信号光
３３０ 受信部
３５０ 光入出力部
３５１ 光コネクタ
４１０ 光コネクタ
４１１ シャッター
４２０ 光コネクタ
【図１】
2020202423.tif 000003
【図２】
2020202423.tif 000004
【図３】
2020202423.tif 000005
【図４】
2020202423.tif 000006
【図５】
2020202423.tif 000007
【図６】
2020202423.tif 000008